(57)【要約】      （修正有）【課題】荷降ろしの際にロボットアームによりガラス板から合紙を取り除く作業を確実に、かつ効率よく行えるようにするために、合紙の延出部分がまっすぐ延出している状態を保つことができる梱包体を提供する。【解決手段】搭載するガラス板Ｇの底辺部を支持する底桟４と、ガラス板の一方の面側を受ける背板５とを有した縦置き型梱包容器に、複数のガラス板が搭載されてなるガラス板の梱包体において、背板にガラス板の一方の面を受けさせた状態で、底桟上にガラス板が複数載置されるとともに、ガラス板間に、合紙Ｐが、ガラス板の上辺より所定長さ延出して延出部ＰＥを形成した状態に挟持され、櫛状部材１２により、延出部が保持され、櫛状部材は背板に固定されている。【選択図】図２
0003217035.tif 000002
【実用新案登録請求の範囲】
【請求項１】
搭載するガラス板の底辺部を支持する底桟と、前記ガラス板の一方の面側を受ける背板とを有した縦置き型梱包容器に、複数のガラス板を搭載するガラス板の梱包方法において、
前記背板にガラス板の一方の面を受けさせた状態で、前記底桟上にガラス板を複数載置するとともに、前記ガラス板間に、合紙を、前記ガラス板の上辺より所定長さ延出させて延出部を形成した状態に挟持させる工程と、
櫛状部材により前記延出部を保持する工程と、
前記櫛状部材を前記背板に固定する工程と、を備える梱包方法。
【請求項２】
前記櫛状部材は磁石を備え、前記磁石により前記背板に固定される請求項１に記載の梱包方法。
【請求項３】
前記ガラス板間に前記合紙を挟持させる際に、前記合紙を、その下端が前記底桟より浮いた状態となるように配する請求項１又は２に記載の梱包方法。
【請求項４】
搭載するガラス板の底辺部を支持する底桟と、前記ガラス板の一方の面側を受ける背板とを有した縦置き型梱包容器に、複数のガラス板が搭載されてなるガラス板の梱包体において、
前記背板にガラス板の一方の面を受けさせた状態で、前記底桟上にガラス板が複数載置されるとともに、前記ガラス板間に、合紙が、前記ガラス板の上辺より所定長さ延出して延出部を形成した状態に挟持され、
櫛状部材により、前記延出部が保持され、
前記櫛状部材は前記背板に固定されている梱包体。
【考案の詳細な説明】
【技術分野】
【０００１】
本考案は、ガラス板を縦置きで梱包容器に複数枚搭載する梱包方法および梱包体に関する。
【背景技術】
【０００２】
近年、ＦＰＤ用ガラス等に用いられる大型ガラス板のニーズが高まっている。このような大型ガラス板を搬送する手段としては、例えば、複数枚のガラス板を立てて並べた状態で各ガラス板を固定したガラス板梱包箱が知られている（例えば、特許文献１）。
このガラス板梱包箱は、ガラス板を載置する台座を有し、該台座の搭載面上に前記ガラス板の下端部を受ける底受け板と、ガラス板の厚さ方向を受ける背受け板とを備えて構成されている。
【０００３】
このような底受け板および背受け板にガラス板を搭載する際には、搬送中にガラス板同士が直接接触して損傷することを防止するため、通常はガラス板間に合紙を挟持させている。その際、ガラス板の荷降ろし時にロボットアームで合紙を吸着保持してガラス板から容易に取り除けるようにするため、合紙をガラス板の上端より延出させておき、これをロボットアームで吸着保持するための保持部としている。
特許文献１においては、合紙の保持部、すなわちガラス板の上端より延出した部分が、一部が傾くことなく立ち上がっていたり、傾く方向が逆になっていたりすると、ロボットアームの保持部に対する位置決めが良好に行えず、合紙を吸着保持できないことがあるという問題に鑑みて、ガラス板の上端より延出させた合紙を、ガラス板梱包箱の背受け板方向に一様に傾けている。
【先行技術文献】
【特許文献】
【０００４】
【特許文献１】国際公開第２０１２／１０２１１７号
【考案の概要】
【考案が解決しようとする課題】
【０００５】
しかし、合紙除去作業における、合紙の保持方法や、ロボットハンドの位置決め方法には種々の態様があり、その態様によっては、全ての合紙の延出部分が傾くことなく立ち上がっている、すなわち、まっすぐ延出していることが好ましい場合もある。
【０００６】
本考案はこのような背景のもとになされたもので、荷降ろしの際にロボットアームによってガラス板から合紙を取り除く作業を確実に、かつ効率よく行えるようにするために、合紙の延出部分が傾くことなくまっすぐ延出しているような状態を保つことができる梱包方法および梱包体を提供することを目的とする。
【課題を解決するための手段】
【０００７】
本考案の梱包方法は、搭載するガラス板の底辺部を支持する底桟と、ガラス板の一方の面側を受ける背板とを有した縦置き型梱包容器に、複数のガラス板を搭載するガラス板の梱包方法において、背板にガラス板の一方の面を受けさせた状態で、底桟上にガラス板を複数載置するとともに、ガラス板間に、合紙を、ガラス板の上辺より所定長さ延出させて延出部を形成した状態に挟持させる工程と、櫛状部材により延出部を保持する工程と、櫛状部材を背板に固定する工程とを備える。
【０００８】
また、本考案の梱包方法において櫛状部材は磁石を備え、磁石により背板に固定されることが好ましい。
【０００９】
また、本考案の梱包方法においては、ガラス板間に合紙を挟持させる際に、合紙を、その下端が底桟より浮いた状態となるように配することが好ましい。
【００１０】
また、本考案の梱包体は、搭載するガラス板の底辺部を支持する底桟と、ガラス板の一方の面側を受ける背板とを有した縦置き型梱包容器に、複数のガラス板が搭載されてなるガラス板の梱包体において、背板にガラス板の一方の面を受けさせた状態で、底桟上にガラス板が複数載置されるとともに、ガラス板間に、合紙が、ガラス板の上辺より所定長さ延出して延出部を形成した状態に挟持され、櫛状部材により、延出部が保持され、櫛状部材は前記背板に固定されている。
【考案の効果】
【００１１】
本考案の梱包方法によれば、櫛状部材により合紙の延出部が保持されており、合紙の傾きが抑制される。
また、本考案の梱包体によれば、櫛状部材により合紙の延出部が保持されており、合紙の傾きが抑制される。
【図面の簡単な説明】
【００１２】
【図１】図１（ａ）および１（ｂ）は、本考案の梱包体の概略構成を示す図であり、図１（ａ）は正面図、図１（ｂ）は側面図である。
【図２】図２（ａ）は、搭載されたガラス板および合紙の下端部の状態を説明するための要部側断面図、図２（ｂ）は、搭載されたガラス板および合紙の上端部の状態を説明するための要部側断面図である。
【図３】図３は、本考案における櫛状部材の概略構成を示す側面図である。
【考案を実施するための形態】
【００１３】
以下、本考案の梱包方法および梱包体の第１実施形態について説明するが、本考案は以下に説明する実施形態に制限されるものではない。
【００１４】
図１（ａ）および１（ｂ）は、本考案の梱包体の実施形態の概略構成を示す図であり、図１（ａ）は正面図、図１（ｂ）は側面図である。図１中符号１は梱包体であり、梱包体１は、梱包容器２と、該梱包容器２に搭載されたガラス板Ｇと、櫛状部材１２とから構成されている。
【００１５】
ガラス板Ｇとしては、たとえば液晶装置やＥＬ装置、プラズマディスプレイ装置等のフラットパネルディスプレイ（ＦＰＤ）用のガラス基板が対象となる。具体的には、例えばサイズが２５００ｍｍ×２２００ｍｍ程度で、厚さが０．３〜０．７ｍｍ程度の矩形板状のガラス基板がガラス板Ｇとして用いられる。ただし、本考案は、このようなサイズのガラス板Ｇの保持固定に限定されることなく、種々のサイズや厚さのガラス板の保持固定にも適用できる。また、ＦＰＤ用ガラス基板以外の、種々のガラス板も適用対象となる。
【００１６】
梱包容器２は、ガラス板Ｇを縦置きに搭載する縦置き型梱包容器であって、基台３と、基台３上に配置された底桟４、背板５とを備えて構成されている。基台３は、床や車の荷台等の略水平面上に置かれるもので、図１（ａ）に示すようにその前面側および背面側にフォークリフトの爪（図示せず。）が抜差し可能な開口部６が複数（図では４つ）形成されている。基台３の側面については、開口させてもよく、塞いだ構造としてもよい（図１（ｂ）では塞いだ構造としている。）。また、基台３は、たとえば鋼材からなっているが、クリーンルームに搬入される場合の塗装剥れ防止を考慮すると、ステンレス鋼が好ましい。
【００１７】
底桟４は、基台３の上面３ａに設けられた矩形板状のもので、搭載するガラス板Ｇの底辺部を支持する。この底桟４は、図１（ｂ）に示すようにその前側下部が底片７を介して基台３上に設けられたことにより、基台３の上面３ａに対して傾斜して配置されている。また、底桟４は、本実施形態では基台３の幅方向において２箇所に設けられており、それぞれの上面（傾斜面）、すなわちガラス板Ｇの載置面が、同一平面を構成するように配置されている。これら底桟４の上面は、ガラス板Ｇを差込むための溝等が形成されない実質上平坦なもので、複数のガラス板Ｇを合紙Ｐを挟んで載置できるものであれば、波状や粗面状であってもよい。
【００１８】
なお、底桟４については、後述する背板５の幅と同じ長さの、１枚の板で構成してもよい。底桟４は、基台３の上面３ａに対して好ましくは５°〜２５°、より好ましくは１０°〜２０°、特に好ましくは約１８°傾斜している。これにより、作業者はガラス板Ｇを載置するときのガラス板Ｇの位置決め作業を容易に、かつ効率よく安全に行うことができる。各ガラス板Ｇは、自重によって背板５側のガラス板Ｇに接することにより、各ガラス板Ｇ間に無駄な隙間が生じることはない。また、載置するガラス板Ｇの安定化を図ることができ、ガラス板Ｇのずれや崩壊を防止し、併せて傷や割れの防止も図ることができる。なお、底片７に高さ調整機能をもたせ、底桟４の基台３の上面３ａに対する角度調整を調整可能な構成としてもよい。
【００１９】
背板５は、基台３の上面３ａに設けられた支持枠８に一方の面側が支持固定され、下端部が底桟４上に支持固定されている。支持枠８は、基台３の上面３ａに対して上方に立ち上がって配設された支柱９と、基台３の上面３ａに対して所定角度に傾斜して配設された傾斜枠１０と、これら支柱９と傾斜枠１０との間に設けられた補強枠１１とを備えて構成されている。
【００２０】
傾斜枠１０は、底桟４の上面に対して９０°〜１００°、特に好ましくは約９０°となるように基台３の上面３ａ上に複数本設けられている。また、支柱９も傾斜枠１０に対応して複数本設けられている。補強枠１１は、基台３の上面３ａ上、および支柱９、傾斜枠１０のそれぞれの高さ方向中央部に複数本ずつ設けられている。
【００２１】
そして、背板５は、このような構成からなる支持枠８の、傾斜枠１０の外側に貼設されており、したがって傾斜枠１０と同じ角度で傾斜している。背板５は、底桟４上に縦置きされたガラス板Ｇの一方の面側を受けてこれを支持する矩形板状のもので、搭載するガラス板Ｇより少し大きく形成されている。
【００２２】
背板５および前記底桟４には、ガラス板Ｇを搭載した際のガラス板Ｇとの接触による損傷を防止するため、その表面（ガラス板Ｇに接する側の面）にゴムや硬質の発泡性樹脂等のクッション材Ｃが貼設されている。
【００２３】
ガラス板Ｇは、たとえば１００枚〜８００枚程度が底桟４の前後方向、すなわち背板５の外面と直交する方向に重ねられ、縦積みされている。また、これらガラス板Ｇのそれぞれの間には、矩形状の合紙Ｐが挟持されている。
合紙Ｐは、ガラス板Ｇ同士が直接接触するのを避けるためのもので、搬送中にガラス板Ｇ同士が干渉して傷がつくことを防止するためのものである。
【００２４】
合紙Ｐは、図１（ｂ）に示すようにガラス板Ｇより大きく、したがってガラス板Ｇを載置した際に少なくとも上端部がガラス板Ｇの上辺より上方に延出して延出部ＰＥが形成されている。また、本実施形態では、ガラス板Ｇの左右両側においても、合紙Ｐがはみ出た（延出した）状態となっている（図示せず。）。ガラス板Ｇの上方に延出した延出部ＰＥは、その長さがたとえば５０〜８０ｍｍ程度とされている。
【００２５】
また、合紙Ｐの下端ＰＬは、図２（ａ）に示すように底桟４の上面（載置面）よりたとえば１０ｍｍ以下、好ましくは５ｍｍ程度浮き上がって配置されている。これにより、底桟４上に背板５側から順に合紙Ｐとガラス板Ｇとを交互に配置した際、合紙Ｐの下端部が底桟４上に拡がり、拡がった合紙Ｐ上にガラス板Ｇが載ることを防止することができる。合紙Ｐ上にガラス板Ｇが載ると、底桟４上でのガラス板Ｇの動き、すなわち自重による背板５側への滑動が制限されてしまい、また、ガラス板Ｇの荷降ろしにも影響するおそれがある。
【００２６】
櫛状部材１２は、図３に示すような櫛形の部材である。本実施形態においては、図２（ｂ）に示すように、櫛状部材１２の櫛歯を合紙Ｐの延出部ＰＥの間に挿入し、合紙Ｐの延出部ＰＥを保持させた状態で、櫛状部材１２を背板５の上部に固定することで、延出部ＰＥを傾斜させずにまっすぐ延出した状態に保つ。
【００２７】
櫛状部材１２の素材は特に限定されないが、例えば、アクリル樹脂やポリカーボネート系樹脂のプラスチックなどを用いることができる。
櫛歯の長さは、櫛状部材１２で延出部ＰＥを保持し、背板５に固定した際に櫛歯の先端がガラス板Ｇの端部に接触して傷つけることがないように調整すればよいが、例えば５０ｍｍ程度とすることができる。
櫛歯の厚みは例えば２ｍｍ程度、櫛歯間のすき間は例えば６ｍｍ程度とし、櫛歯間のすき間には例えば１０〜２０枚程度の合紙Ｐの延出部ＰＥを保持させることが好ましい。
また、合紙Ｐの延出部ＰＥの間への櫛歯の挿入を容易とするため、櫛歯先端を先細形状とすることが好ましい。
【００２８】
櫛状部材１２を背板に固定する方法は特に限定はされないが、例えば図２（ｂ）及び図３に示すように、櫛状部材に取り付けた磁石１２ａを用いて背板５に固定することができる。
櫛状部材１２を背板に固定する個数も特に限定されず、合紙Ｐのサイズに合わせて適宜増減すればよい。
【００２９】
なお、本実施形態の梱包体１は、図１（ｂ）に示したように梱包容器２上にガラス板Ｇと合紙Ｐとが交互に配置され、櫛状部材１２により合紙Ｐの延出部ＰＥが保持され、櫛状部材１２が背板５に取り付けられた後、従来公知の種々の固定具（図示せず。）でガラス板Ｇが固定され、さらに必要に応じて樹脂シートが被着され、または梱包箱に収納されることなどにより、搬送等に供される最終的な形態に形成される。
【００３０】
たとえば、図１（ｂ）中二点鎖線で示すようなガラス板押さえ部材１３が用いられて、ガラス板Ｇが梱包容器２に固定される。ガラス板押さえ部材１３は、前枠１４、側枠１５を備えて形成されており、側枠１５が支持枠８の両側部に取り付けられ、前枠１４が側枠１５の前端部に取り付けられている。このガラス板押さえ部材１３は、たとえば側枠１５に対して前枠１４が着脱可能に取り付けられ、または支持枠８に対して側枠１５が着脱可能に取り付けられることにより、ガラス板押さえ部材１３内へのガラス板Ｇの収容が可能になっている。
【００３１】
また、このガラス板押さえ部材１３には、前枠１４の内側にエアバッグ１６が設けられていてもよい。エアバッグ１６によってガラス板Ｇを押圧することで、ガラス板Ｇを確実に固定できる。このようなエアバッグ１６としては、その空気量を調整して適宜に膨らませることにより、ガラス板Ｇを押圧固定するように構成するのが好ましい。エアバッグ１６については、必要に応じて何個備えてもよい。
さらに、ガラス板Ｇの固定具としては、ガラス板Ｇの側辺部を固定する側方押さえ部材（図示せず。）も設けるのが好ましい。
【００３２】
次に、このような梱包体１の形成方法、すなわち本考案に係る梱包方法を説明する。 
まず、図１（ｂ）に示す梱包容器２の底桟４上にガラス板Ｇと合紙Ｐとを交互に配置し、これによって底桟４上にガラスＧ板を複数載置するとともに、該ガラス板Ｇ間に合紙Ｐを挟持させる。底桟４上へのガラス板Ｇの載置については、専用のロボットアーム（図示せず。）によって従来と同様にして行う。また、ガラス板Ｇ上への合紙Ｐの配置についても、専用のロボットアーム（図示せず。）によって従来と同様にして行う。その際、図２（ａ）に示したように合紙Ｐの下端ＰＬが底桟４からたとえば５ｍｍ程度浮くように、合紙Ｐを配置する。また、図２（ｂ）中二点鎖線で示すように、その上端部をガラス板Ｇの上辺より５０〜８０ｍｍ程度延出させて、延出部ＰＥを形成しておく。
【００３３】
上記のようにして所定の枚数ガラス板Ｇを底桟４上に積み込み、かつ、これらガラス板Ｇ間にそれぞれ合紙Ｐを挟持させた後、櫛状部材１２の櫛歯を合紙Ｐの延出部ＰＥに挿入することで合紙Ｐの延出部ＰＥを保持し、その後櫛状部材１２を背板５に固定する。
【００３４】
その後、図１（ｂ）中に二点鎖線で示したガラス押さえ部材１３等によってガラス板Ｇを梱包容器２上に固定し、必要に応じてガラス板Ｇに樹脂シートを被着するなど、従来と同様にして、搬送等に供される最終的な形態に形成する。
【００３５】
次に、このようにして形成された梱包体１からの、ガラス板Ｇの積み降ろしについて説明する。
まず、樹脂シート等やその他の固定具を、従来と同様にして梱包容器２から取り除く。
次に、櫛状部材を背板から取り除く。
続いて、底桟４上からのガラス板Ｇの積み降ろしと、ガラス板Ｇからの合紙Ｐの除去とを行う。底桟４上からのガラス板Ｇの積み降ろしについては、専用のロボットアーム（図示せず。）によって従来と同様にして行う。たとえば、真空吸着用の孔や、吸盤を有したロボットアームにより、ガラス板Ｇの外面（背板と反対側の面）を吸着保持し、コンベア等の移送装置上に移送する。
【００３６】
また、ガラス板Ｇ上からの合紙Ｐの除去についても、専用のロボットアームによって従来と同様にして行う。たとえば、最表面のガラス板Ｇが積み降ろされた後、最表面に露出した合紙Ｐを、ロボットアームによって保持し、コンベア等の移送装置上に移送する。
【００３７】
本実施形態の梱包方法によれば、櫛状部材１２により合紙Ｐの延出部ＰＥを保持し、櫛状部材１２を背板５に固定するので、合紙Ｐの延出部ＰＥがまっすぐな状態で保持されている。したがって、荷降ろしの際にロボットアームによる延出部ＰＥの保持が良好に行えるようになり、合紙Ｐを安定してガラス板Ｇから確実に取り除くことができる。
【００３８】
また、櫛状部材１２が磁石１２ａを備え、当該磁石１２ａにより背板５に固定されるようにすることで、櫛状部材１２の背板５への固定及び取外しを容易に行うことができる。
【００３９】
また、ガラス板Ｇ間に合紙Ｐを挟持させる際に、図２（ａ）に示したように該合紙Ｐを、その下端ＰＬが底桟４より浮いた状態となるように配することで、底桟４上に背板側から順にガラス板Ｇと合紙Ｐとを交互に配置した際、合紙Ｐの下端部が底桟４上に拡がり、拡がった合紙Ｐ上にガラス板Ｇが載ることを防止することができる。
【００４０】
また、本実施形態の梱包体１によれば、背板５に固定された櫛状部材１２により合紙Ｐの延出部ＰＥがまっすぐな状態で保持されているため、荷降ろしの際にロボットアームによる延出部ＰＥの保持が良好に行えるようになり、したがって合紙Ｐを安定してガラス板Ｇから確実に取り除くことができる。
【００４１】
本考案を詳細に、また特定の実施態様を参照して説明したが、本考案の範囲と精神を逸脱することなく、様々な修正や変更を加えることができることは、当業者にとって明らかである。
【産業上の利用可能性】
【００４２】
本考案の梱包方法および梱包体によれば、合紙Ｐの延出部ＰＥがまっすぐな状態に保たれるため、荷降ろしの際にロボットアームによってガラス板から合紙を取り除く作業を確実に行うことができる。これによってガラス板の積み降ろしの作業性を向上した、優れた梱包方法および梱包体を提供できる。
【符号の説明】
【００４３】
１…梱包体、２…梱包容器、３…基台、４…底桟、５…背板、６…開口部、７…底片、８…支持枠、９…支柱、１０…傾斜枠、１１…補強枠、１２…櫛状部材、１２ａ…磁石、１３…ガラス板押さえ部材、１４…前枠、１５…側枠、１６…エアバッグ、Ｇ…ガラス板、Ｐ…合紙、Ｃ…クッション材、ＰＥ…延出部、ＰＬ…下端
【図１】
0003217035.tif 000003
【図２】
0003217035.tif 000004
【図３】
0003217035.tif 000005
【手続補正書】
【提出日】平成30年5月11日(2018.5.11)
【手続補正１】
【補正対象書類名】実用新案登録請求の範囲
【補正対象項目名】全文
【補正方法】変更
【補正の内容】
【実用新案登録請求の範囲】
【請求項１】
搭載するガラス板の底辺部を支持する底桟と、前記ガラス板の一方の面側を受ける背板とを有した縦置き型梱包容器に、複数のガラス板が搭載されてなるガラス板の梱包体において、
前記背板にガラス板の一方の面を受けさせた状態で、前記底桟上にガラス板が複数載置されるとともに、前記ガラス板間に、合紙が、前記ガラス板の上辺より所定長さ延出して延出部を形成した状態に挟持され、
櫛状部材により、前記延出部が保持され、
前記櫛状部材は前記背板に固定されている梱包体。
【請求項２】
前記櫛状部材は磁石を備え、前記磁石により前記背板に固定される請求項１に記載の梱
包体。
【請求項３】
前記合紙の下端が前記底桟より浮いた状態である請求項１又は２に記載の梱包体。
【手続補正２】
【補正対象書類名】明細書
【補正対象項目名】全文
【補正方法】変更
【補正の内容】
【考案の詳細な説明】
【技術分野】
【０００１】
本考案は、ガラス板を縦置きで梱包容器に複数枚搭載する梱包体に関する。
【背景技術】
【０００２】
近年、ＦＰＤ用ガラス等に用いられる大型ガラス板のニーズが高まっている。このような大型ガラス板を搬送する手段としては、例えば、複数枚のガラス板を立てて並べた状態で各ガラス板を固定したガラス板梱包箱が知られている（例えば、特許文献１）。
このガラス板梱包箱は、ガラス板を載置する台座を有し、該台座の搭載面上に前記ガラス板の下端部を受ける底受け板と、ガラス板の厚さ方向を受ける背受け板とを備えて構成されている。
【０００３】
このような底受け板および背受け板にガラス板を搭載する際には、搬送中にガラス板同士が直接接触して損傷することを防止するため、通常はガラス板間に合紙を挟持させている。その際、ガラス板の荷降ろし時にロボットアームで合紙を吸着保持してガラス板から容易に取り除けるようにするため、合紙をガラス板の上端より延出させておき、これをロボットアームで吸着保持するための保持部としている。
特許文献１においては、合紙の保持部、すなわちガラス板の上端より延出した部分が、一部が傾くことなく立ち上がっていたり、傾く方向が逆になっていたりすると、ロボットアームの保持部に対する位置決めが良好に行えず、合紙を吸着保持できないことがあるという問題に鑑みて、ガラス板の上端より延出させた合紙を、ガラス板梱包箱の背受け板方向に一様に傾けている。
【先行技術文献】
【特許文献】
【０００４】
【特許文献１】国際公開第２０１２／１０２１１７号
【考案の概要】
【考案が解決しようとする課題】
【０００５】
しかし、合紙除去作業における、合紙の保持方法や、ロボットハンドの位置決め方法には種々の態様があり、その態様によっては、全ての合紙の延出部分が傾くことなく立ち上がっている、すなわち、まっすぐ延出していることが好ましい場合もある。
【０００６】
本考案はこのような背景のもとになされたもので、荷降ろしの際にロボットアームによってガラス板から合紙を取り除く作業を確実に、かつ効率よく行えるようにするために、合紙の延出部分が傾くことなくまっすぐ延出しているような状態を保つことができる梱包体を提供することを目的とする。
【課題を解決するための手段】
【０００７】
本考案の梱包体は、搭載するガラス板の底辺部を支持する底桟と、ガラス板の一方の面側を受ける背板とを有した縦置き型梱包容器に、複数のガラス板が搭載されてなるガラス板の梱包体において、背板にガラス板の一方の面を受けさせた状態で、底桟上にガラス板が複数載置されるとともに、ガラス板間に、合紙が、ガラス板の上辺より所定長さ延出して延出部を形成した状態に挟持され、櫛状部材により延出部が保持され、櫛状部材は背板に固定されている。
【０００８】
また、本考案の梱包体において櫛状部材は磁石を備え、磁石により背板に固定されることが好ましい。
【０００９】
また、本考案の梱包体においては、合紙の下端が底桟より浮いた状態であることが好ましい。
【考案の効果】
【００１０】
本考案の梱包体によれば、櫛状部材により合紙の延出部が保持されており、合紙の傾きが抑制される。
【図面の簡単な説明】
【００１１】
【図１】図１（ａ）および１（ｂ）は、本考案の梱包体の概略構成を示す図であり、図１（ａ）は正面図、図１（ｂ）は側面図である。
【図２】図２（ａ）は、搭載されたガラス板および合紙の下端部の状態を説明するための要部側断面図、図２（ｂ）は、搭載されたガラス板および合紙の上端部の状態を説明するための要部側断面図である。
【図３】図３は、本考案における櫛状部材の概略構成を示す側面図である。
【考案を実施するための形態】
【００１２】
以下、本考案の梱包体の第１実施形態について説明するが、本考案は以下に説明する実施形態に制限されるものではない。
【００１３】
図１（ａ）および１（ｂ）は、本考案の梱包体の実施形態の概略構成を示す図であり、図１（ａ）は正面図、図１（ｂ）は側面図である。図１中符号１は梱包体であり、梱包体１は、梱包容器２と、該梱包容器２に搭載されたガラス板Ｇと、櫛状部材１２とから構成されている。
【００１４】
ガラス板Ｇとしては、たとえば液晶装置やＥＬ装置、プラズマディスプレイ装置等のフラットパネルディスプレイ（ＦＰＤ）用のガラス基板が対象となる。具体的には、例えばサイズが２５００ｍｍ×２２００ｍｍ程度で、厚さが０．３〜０．７ｍｍ程度の矩形板状のガラス基板がガラス板Ｇとして用いられる。ただし、本考案は、このようなサイズのガラス板Ｇの保持固定に限定されることなく、種々のサイズや厚さのガラス板の保持固定にも適用できる。また、ＦＰＤ用ガラス基板以外の、種々のガラス板も適用対象となる。
【００１５】
梱包容器２は、ガラス板Ｇを縦置きに搭載する縦置き型梱包容器であって、基台３と、基台３上に配置された底桟４、背板５とを備えて構成されている。基台３は、床や車の荷台等の略水平面上に置かれるもので、図１（ａ）に示すようにその前面側および背面側にフォークリフトの爪（図示せず。）が抜差し可能な開口部６が複数（図では４つ）形成されている。基台３の側面については、開口させてもよく、塞いだ構造としてもよい（図１（ｂ）では塞いだ構造としている。）。また、基台３は、たとえば鋼材からなっているが、クリーンルームに搬入される場合の塗装剥れ防止を考慮すると、ステンレス鋼が好ましい。
【００１６】
底桟４は、基台３の上面３ａに設けられた矩形板状のもので、搭載するガラス板Ｇの底辺部を支持する。この底桟４は、図１（ｂ）に示すようにその前側下部が底片７を介して基台３上に設けられたことにより、基台３の上面３ａに対して傾斜して配置されている。また、底桟４は、本実施形態では基台３の幅方向において２箇所に設けられており、それぞれの上面（傾斜面）、すなわちガラス板Ｇの載置面が、同一平面を構成するように配置されている。これら底桟４の上面は、ガラス板Ｇを差込むための溝等が形成されない実質上平坦なもので、複数のガラス板Ｇを合紙Ｐを挟んで載置できるものであれば、波状や粗面状であってもよい。
【００１７】
なお、底桟４については、後述する背板５の幅と同じ長さの、１枚の板で構成してもよい。底桟４は、基台３の上面３ａに対して好ましくは５°〜２５°、より好ましくは１０°〜２０°、特に好ましくは約１８°傾斜している。これにより、作業者はガラス板Ｇを載置するときのガラス板Ｇの位置決め作業を容易に、かつ効率よく安全に行うことができる。各ガラス板Ｇは、自重によって背板５側のガラス板Ｇに接することにより、各ガラス板Ｇ間に無駄な隙間が生じることはない。また、載置するガラス板Ｇの安定化を図ることができ、ガラス板Ｇのずれや崩壊を防止し、併せて傷や割れの防止も図ることができる。なお、底片７に高さ調整機能をもたせ、底桟４の基台３の上面３ａに対する角度調整を調整可能な構成としてもよい。
【００１８】
背板５は、基台３の上面３ａに設けられた支持枠８に一方の面側が支持固定され、下端部が底桟４上に支持固定されている。支持枠８は、基台３の上面３ａに対して上方に立ち上がって配設された支柱９と、基台３の上面３ａに対して所定角度に傾斜して配設された傾斜枠１０と、これら支柱９と傾斜枠１０との間に設けられた補強枠１１とを備えて構成されている。
【００１９】
傾斜枠１０は、底桟４の上面に対して９０°〜１００°、特に好ましくは約９０°となるように基台３の上面３ａ上に複数本設けられている。また、支柱９も傾斜枠１０に対応して複数本設けられている。補強枠１１は、基台３の上面３ａ上、および支柱９、傾斜枠１０のそれぞれの高さ方向中央部に複数本ずつ設けられている。
【００２０】
そして、背板５は、このような構成からなる支持枠８の、傾斜枠１０の外側に貼設されており、したがって傾斜枠１０と同じ角度で傾斜している。背板５は、底桟４上に縦置きされたガラス板Ｇの一方の面側を受けてこれを支持する矩形板状のもので、搭載するガラス板Ｇより少し大きく形成されている。
【００２１】
背板５および前記底桟４には、ガラス板Ｇを搭載した際のガラス板Ｇとの接触による損傷を防止するため、その表面（ガラス板Ｇに接する側の面）にゴムや硬質の発泡性樹脂等のクッション材Ｃが貼設されている。
【００２２】
ガラス板Ｇは、たとえば１００枚〜８００枚程度が底桟４の前後方向、すなわち背板５の外面と直交する方向に重ねられ、縦積みされている。また、これらガラス板Ｇのそれぞれの間には、矩形状の合紙Ｐが挟持されている。
合紙Ｐは、ガラス板Ｇ同士が直接接触するのを避けるためのもので、搬送中にガラス板Ｇ同士が干渉して傷がつくことを防止するためのものである。
【００２３】
合紙Ｐは、図１（ｂ）に示すようにガラス板Ｇより大きく、したがってガラス板Ｇを載置した際に少なくとも上端部がガラス板Ｇの上辺より上方に延出して延出部ＰＥが形成されている。また、本実施形態では、ガラス板Ｇの左右両側においても、合紙Ｐがはみ出た（延出した）状態となっている（図示せず。）。ガラス板Ｇの上方に延出した延出部ＰＥは、その長さがたとえば５０〜８０ｍｍ程度とされている。
【００２４】
また、合紙Ｐの下端ＰＬは、図２（ａ）に示すように底桟４の上面（載置面）よりたとえば１０ｍｍ以下、好ましくは５ｍｍ程度浮き上がって配置されている。これにより、底桟４上に背板５側から順に合紙Ｐとガラス板Ｇとを交互に配置した際、合紙Ｐの下端部が底桟４上に拡がり、拡がった合紙Ｐ上にガラス板Ｇが載ることを防止することができる。合紙Ｐ上にガラス板Ｇが載ると、底桟４上でのガラス板Ｇの動き、すなわち自重による背板５側への滑動が制限されてしまい、また、ガラス板Ｇの荷降ろしにも影響するおそれがある。
【００２５】
櫛状部材１２は、図３に示すような櫛形の部材である。本実施形態においては、図２（ｂ）に示すように、櫛状部材１２の櫛歯を合紙Ｐの延出部ＰＥの間に挿入し、合紙Ｐの延出部ＰＥを保持させた状態で、櫛状部材１２を背板５の上部に固定することで、延出部ＰＥを傾斜させずにまっすぐ延出した状態に保つ。
【００２６】
櫛状部材１２の素材は特に限定されないが、例えば、アクリル樹脂やポリカーボネート系樹脂のプラスチックなどを用いることができる。
櫛歯の長さは、櫛状部材１２で延出部ＰＥを保持し、背板５に固定した際に櫛歯の先端がガラス板Ｇの端部に接触して傷つけることがないように調整すればよいが、例えば５０ｍｍ程度とすることができる。
櫛歯の厚みは例えば２ｍｍ程度、櫛歯間のすき間は例えば６ｍｍ程度とし、櫛歯間のすき間には例えば１０〜２０枚程度の合紙Ｐの延出部ＰＥを保持させることが好ましい。
また、合紙Ｐの延出部ＰＥの間への櫛歯の挿入を容易とするため、櫛歯先端を先細形状とすることが好ましい。
【００２７】
櫛状部材１２を背板に固定する方法は特に限定はされないが、例えば図２（ｂ）及び図３に示すように、櫛状部材に取り付けた磁石１２ａを用いて背板５に固定することができる。
櫛状部材１２を背板に固定する個数も特に限定されず、合紙Ｐのサイズに合わせて適宜増減すればよい。
【００２８】
なお、本実施形態の梱包体１は、図１（ｂ）に示したように梱包容器２上にガラス板Ｇと合紙Ｐとが交互に配置され、櫛状部材１２により合紙Ｐの延出部ＰＥが保持され、櫛状部材１２が背板５に取り付けられた後、従来公知の種々の固定具（図示せず。）でガラス板Ｇが固定され、さらに必要に応じて樹脂シートが被着され、または梱包箱に収納されることなどにより、搬送等に供される最終的な形態に形成される。
【００２９】
たとえば、図１（ｂ）中二点鎖線で示すようなガラス板押さえ部材１３が用いられて、ガラス板Ｇが梱包容器２に固定される。ガラス板押さえ部材１３は、前枠１４、側枠１５を備えて形成されており、側枠１５が支持枠８の両側部に取り付けられ、前枠１４が側枠１５の前端部に取り付けられている。このガラス板押さえ部材１３は、たとえば側枠１５に対して前枠１４が着脱可能に取り付けられ、または支持枠８に対して側枠１５が着脱可能に取り付けられることにより、ガラス板押さえ部材１３内へのガラス板Ｇの収容が可能になっている。
【００３０】
また、このガラス板押さえ部材１３には、前枠１４の内側にエアバッグ１６が設けられていてもよい。エアバッグ１６によってガラス板Ｇを押圧することで、ガラス板Ｇを確実に固定できる。このようなエアバッグ１６としては、その空気量を調整して適宜に膨らませることにより、ガラス板Ｇを押圧固定するように構成するのが好ましい。エアバッグ１６については、必要に応じて何個備えてもよい。
さらに、ガラス板Ｇの固定具としては、ガラス板Ｇの側辺部を固定する側方押さえ部材（図示せず。）も設けるのが好ましい。
【００３１】
次に、このような梱包体１の形成方法、すなわち梱包方法を説明する。 
まず、図１（ｂ）に示す梱包容器２の底桟４上にガラス板Ｇと合紙Ｐとを交互に配置し、これによって底桟４上にガラスＧ板を複数載置するとともに、該ガラス板Ｇ間に合紙Ｐを挟持させる。底桟４上へのガラス板Ｇの載置については、専用のロボットアーム（図示せず。）によって従来と同様にして行う。また、ガラス板Ｇ上への合紙Ｐの配置についても、専用のロボットアーム（図示せず。）によって従来と同様にして行う。その際、図２（ａ）に示したように合紙Ｐの下端ＰＬが底桟４からたとえば５ｍｍ程度浮くように、合紙Ｐを配置する。また、図２（ｂ）中二点鎖線で示すように、その上端部をガラス板Ｇの上辺より５０〜８０ｍｍ程度延出させて、延出部ＰＥを形成しておく。
【００３２】
上記のようにして所定の枚数ガラス板Ｇを底桟４上に積み込み、かつ、これらガラス板Ｇ間にそれぞれ合紙Ｐを挟持させた後、櫛状部材１２の櫛歯を合紙Ｐの延出部ＰＥに挿入することで合紙Ｐの延出部ＰＥを保持し、その後櫛状部材１２を背板５に固定する。
【００３３】
その後、図１（ｂ）中に二点鎖線で示したガラス押さえ部材１３等によってガラス板Ｇを梱包容器２上に固定し、必要に応じてガラス板Ｇに樹脂シートを被着するなど、従来と同様にして、搬送等に供される最終的な形態に形成する。
【００３４】
次に、このようにして形成された梱包体１からの、ガラス板Ｇの積み降ろしについて説明する。
まず、樹脂シート等やその他の固定具を、従来と同様にして梱包容器２から取り除く。
次に、櫛状部材を背板から取り除く。
続いて、底桟４上からのガラス板Ｇの積み降ろしと、ガラス板Ｇからの合紙Ｐの除去とを行う。底桟４上からのガラス板Ｇの積み降ろしについては、専用のロボットアーム（図示せず。）によって従来と同様にして行う。たとえば、真空吸着用の孔や、吸盤を有したロボットアームにより、ガラス板Ｇの外面（背板と反対側の面）を吸着保持し、コンベア等の移送装置上に移送する。
【００３５】
また、ガラス板Ｇ上からの合紙Ｐの除去についても、専用のロボットアームによって従来と同様にして行う。たとえば、最表面のガラス板Ｇが積み降ろされた後、最表面に露出した合紙Ｐを、ロボットアームによって保持し、コンベア等の移送装置上に移送する。
【００３６】
上記の梱包方法によれば、櫛状部材１２により合紙Ｐの延出部ＰＥを保持し、櫛状部材１２を背板５に固定するので、合紙Ｐの延出部ＰＥがまっすぐな状態で保持されている。したがって、荷降ろしの際にロボットアームによる延出部ＰＥの保持が良好に行えるようになり、合紙Ｐを安定してガラス板Ｇから確実に取り除くことができる。
【００３７】
また、櫛状部材１２が磁石１２ａを備え、当該磁石１２ａにより背板５に固定されるようにすることで、櫛状部材１２の背板５への固定及び取外しを容易に行うことができる。
【００３８】
また、ガラス板Ｇ間に合紙Ｐを挟持させる際に、図２（ａ）に示したように該合紙Ｐを、その下端ＰＬが底桟４より浮いた状態となるように配することで、底桟４上に背板側から順にガラス板Ｇと合紙Ｐとを交互に配置した際、合紙Ｐの下端部が底桟４上に拡がり、拡がった合紙Ｐ上にガラス板Ｇが載ることを防止することができる。
【００３９】
また、上記の梱包体１によれば、背板５に固定された櫛状部材１２により合紙Ｐの延出部ＰＥがまっすぐな状態で保持されているため、荷降ろしの際にロボットアームによる延出部ＰＥの保持が良好に行えるようになり、したがって合紙Ｐを安定してガラス板Ｇから確実に取り除くことができる。
【００４０】
本考案を詳細に、また特定の実施態様を参照して説明したが、本考案の範囲と精神を逸脱することなく、様々な修正や変更を加えることができることは、当業者にとって明らかである。
【産業上の利用可能性】
【００４１】
本考案の梱包体によれば、合紙Ｐの延出部ＰＥがまっすぐな状態に保たれるため、荷降ろしの際にロボットアームによってガラス板から合紙を取り除く作業を確実に行うことができる。これによってガラス板の積み降ろしの作業性を向上した、優れた梱包方法および梱包体を提供できる。
【符号の説明】
【００４２】
１…梱包体、２…梱包容器、３…基台、４…底桟、５…背板、６…開口部、７…底片、８…支持枠、９…支柱、１０…傾斜枠、１１…補強枠、１２…櫛状部材、１２ａ…磁石、１３…ガラス板押さえ部材、１４…前枠、１５…側枠、１６…エアバッグ、Ｇ…ガラス板、Ｐ…合紙、Ｃ…クッション材、ＰＥ…延出部、ＰＬ…下端